(57)【要約】【課題】音声の頭切れを生じることなくストリーミングデータを再生すること。【解決手段】コンテンツデータ送信装置２は、音声データに応じた必要な設定を行った上で音声データの再生を開始する再生装置４に接続される出力端子２６と、コンテンツの音声データを出力端子２６から送信する音声データ送信手段３５と、音声データ送信手段３５による音声データの送信に先立って、音声データ送信手段３５が再生装置４へ送信する音声データに関する情報を再生装置４へ送信する事前送信手段３６，３５と、を有する。【選択図】図２
2007158908.tif 000002
【特許請求の範囲】
【請求項１】
音声データに応じた必要な設定を行った上で音声データの再生を開始する再生装置に接続される出力端子と、
コンテンツの音声データを上記出力端子から送信する音声データ送信手段と、
上記音声データ送信手段による音声データの送信に先立って、上記音声データ送信手段が上記再生装置へ送信する音声データに関する情報を上記再生装置へ送信する事前送信手段と、
を有することを特徴とするコンテンツデータ送信装置。
【請求項２】
音声データに応じた必要な設定を行った上で音声データの再生を開始する再生装置に接続される出力端子と、
コンテンツの音声データを上記出力端子から送信する音声データ送信手段と、
コンテンツの選択画面を表示させる表示制御手段と、
上記音声データ送信手段による音声データの送信に先立って、上記表示制御手段による上記選択画面に表示されるコンテンツの音声データに関する情報を上記出力端子から上記再生装置へ送信する事前送信手段と、
上記選択画面に表示されるコンテンツを再生するコンテンツとして選択する選択手段と、
上記選択手段により選択されたコンテンツの音声データを上記音声データ送信手段に送信させる送信制御手段と、
を有することを特徴とするコンテンツデータ送信装置。
【請求項３】
音声データに応じた必要な設定を行った上で音声データの再生を開始する再生装置に接続される出力端子と、
コンテンツの音声データを上記出力端子から送信する音声データ送信手段と、
複数のコンテンツの選択画面を表示させる表示制御手段と、
上記選択画面に表示される複数のコンテンツの中の１つを残りのコンテンツとは異なる状態に表示するように選択する第一の選択手段と、
上記音声データ送信手段による音声データの送信に先立って、上記第一の選択手段により選択されるコンテンツの音声データに関する情報を上記出力端子から上記再生装置へ送信する事前送信手段と、
上記第一の選択手段により選択されたコンテンツを再生するコンテンツとして選択する第二の選択手段と、
上記第二の選択手段により選択されたコンテンツの音声データを上記音声データ送信手段に送信させる送信制御手段と、
を有することを特徴とするコンテンツデータ送信装置。
【請求項４】
前記事前送信手段は、音声データ送信手段が前記再生装置へ送信する音声データと同一フォーマットにより、音声データに関する情報を送信することを特徴とする請求項２または３記載のコンテンツデータ送信装置。
【請求項５】
コンテンツデータを有する他の装置と通信する通信手段を有し、
前記表示制御手段は、上記通信手段を用いて、上記他の装置に記憶されるコンテンツデータに関する情報を取得して前記選択画面を生成し、
前記事前送信手段は、上記通信手段を用いて、コンテンツの音声データに関する情報を取得し、
前記送信制御手段は、上記通信手段を用いてコンテンツデータを取得すること、
を特徴とする請求項２から４の中のいずれか１項記載のコンテンツデータ送信装置。
【請求項６】
前記送信制御手段が前記音声データ送信手段に送信させるコンテンツの映像データをデコードする映像デコード手段を有することを特徴とする請求項２から５の中のいずれか１項記載のコンテンツデータ送信装置。
【請求項７】
音声データに応じた必要な設定を行った上で音声データの再生を開始する再生装置と、
上記再生装置に前記出力端子が接続される請求項１から６の中のいずれか１項記載のコンテンツデータ送信装置と、
を有することを特徴とするコンテンツ再生システム。
【請求項８】
音声データに応じた必要な設定を行った上で音声データの再生を開始する再生装置へコンテンツの音声データを送信するステップと、
上記コンテンツの音声データの送信ステップに先立って、そのコンテンツの音声データに関する情報を上記再生装置へ送信するステップと、
を有することを特徴とするコンテンツデータ送信方法。
【発明の詳細な説明】
【技術分野】
【０００１】
本発明は、コンテンツデータ送信装置、コンテンツ再生システムおよびコンテンツデータ送信方法に関する。
【背景技術】
【０００２】
特許文献１は、信号処理装置を開示する。この信号処理装置では、オーディオデータの再生音声の頭切れを抑制するために、一定周期（例えば約１秒間隔）により継続的に繰り返してＩＥＥＥ１３９４インターフェースにおけるデータの受信状況を監視する。そして、この信号処理装置は、受信するオーディオデータに変化が生じたと判別した場合、メディア種別情報を取得してディスクの種別を判定し、そのディスクの種別ごとに一義的に決まるオーディオデータフォーマットに基づいて、必要な切り替え設定を実行する。
【０００３】
また、特許文献１は、従来の信号処理装置では、入力されるオーディオデータが変化すると、その変化したオーディオデータのデータフォーマットを確認し、その確認したフォーマットに応じた設定を行っていることを開示する。そして、この従来の信号処理装置では、オーディオデータが入力され始めてからその設定に応じた適切なデコード処理がなされるまでに、時間がかかってしまうという課題認識を開示する。
【０００４】
【特許文献１】特開２００３−２８９３０４号公報（図２１、図２４、段落０１２７、０１２８、０１２９、０１３６、０１６０、０１６１など）
【発明の開示】
【発明が解決しようとする課題】
【０００５】
ところで、このように音声データが入力され、この音声データをデコードし、音声信号をスピーカへ出力する音声再生装置と、テレビジョン受信機などの表示装置とを組合せて、パーソナルコンピュータ装置などに記憶されるストリーミングデータなどを手軽に再生したいというニーズがある。
【０００６】
そのため、たとえばこのパーソナルコンピュータ装置と、表示装置および音声再生装置との間にコンテンツデータを中継する装置を接続し、このコンテンツ中継装置に、パーソナルコンピュータ装置に記憶されるストリーミングデータに基づいて、表示装置への映像信号と、音声再生装置への音声データとを生成させることが考えられる。
【０００７】
しかしながら、このようなコンテンツ中継装置により音声データを生成する場合でも、音声再生装置はそれに音声データが入力され始めてから音声データの解析処理を開始するので、音声の頭切れが発生してしまう。特許文献１記載の信号処理装置でも、それに入力される音声データが変化してから、メディア種別情報を取得し、必要な切り替え設定を実行するので、音声の頭切れは発生してしまう。
【０００８】
本発明は、音声の頭切れを生じることなくパーソナルコンピュータ装置などに記憶されるストリーミングデータを再生することができるコンテンツデータ送信装置、コンテンツ再生システムおよびコンテンツデータ送信方法を得ることを目的とする。
【課題を解決するための手段】
【０００９】
本発明に係るコンテンツデータ送信装置は、音声データに応じた必要な設定を行った上で音声データの再生を開始する再生装置に接続される出力端子と、コンテンツの音声データを出力端子から送信する音声データ送信手段と、音声データ送信手段による音声データの送信に先立って、音声データ送信手段が再生装置へ送信する音声データに関する情報を再生装置へ送信する事前送信手段と、を有するものである。
【００１０】
本発明に係る他のコンテンツデータ送信装置は、音声データに応じた必要な設定を行った上で音声データの再生を開始する再生装置に接続される出力端子と、コンテンツの音声データを出力端子から送信する音声データ送信手段と、コンテンツの選択画面を表示させる表示制御手段と、音声データ送信手段による音声データの送信に先立って、表示制御手段による選択画面に表示されるコンテンツの音声データに関する情報を出力端子から再生装置へ送信する事前送信手段と、選択画面に表示されるコンテンツを再生するコンテンツとして選択する選択手段と、選択手段により選択されたコンテンツの音声データを音声データ送信手段に送信させる送信制御手段と、を有するものである。
【００１１】
本発明に係る更に他のコンテンツデータ送信装置は、音声データに応じた必要な設定を行った上で音声データの再生を開始する再生装置に接続される出力端子と、コンテンツの音声データを出力端子から送信する音声データ送信手段と、複数のコンテンツの選択画面を表示させる表示制御手段と、選択画面に表示される複数のコンテンツの中の１つを残りのコンテンツとは異なる状態に表示するように選択する第一の選択手段と、音声データ送信手段による音声データの送信に先立って、第一の選択手段により選択されるコンテンツの音声データに関する情報を出力端子から再生装置へ送信する事前送信手段と、第一の選択手段により選択されたコンテンツを再生するコンテンツとして選択する第二の選択手段と、第二の選択手段により選択されたコンテンツの音声データを音声データ送信手段に送信させる送信制御手段と、を有するものである。
【００１２】
本発明に係るコンテンツデータ送信装置は、上述した発明の各構成に加えて、事前送信手段が、音声データ送信手段が再生装置へ送信する音声データと同一フォーマットにより、音声データに関する情報を送信するものである。
【００１３】
本発明に係るコンテンツデータ送信装置は、上述した発明の各構成に加えて、コンテンツデータを有する他の装置と通信する通信手段を有し、表示制御手段が、通信手段を用いて、他の装置に記憶されるコンテンツデータに関する情報を取得して選択画面を生成し、事前送信手段が、通信手段を用いて、コンテンツの音声データに関する情報を取得し、送信制御手段が、通信手段を用いてコンテンツデータを取得するものである。
【００１４】
本発明に係るコンテンツデータ送信装置は、上述した発明の各構成に加えて、送信制御手段が音声データ送信手段に送信させるコンテンツの映像データをデコードする映像デコード手段を有するものである。
【００１５】
本発明に係るコンテンツ再生システムは、音声データに応じた必要な設定を行った上で音声データの再生を開始する再生装置と、再生装置に出力端子が接続される上述した発明の各構成に係るコンテンツデータ送信装置と、を有するものである。
【００１６】
本発明に係るコンテンツデータ送信方法は、音声データに応じた必要な設定を行った上で音声データの再生を開始する再生装置へコンテンツの音声データを送信するステップと、コンテンツの音声データの送信ステップに先立って、そのコンテンツの音声データに関する情報を再生装置へ送信するステップと、を有するものである。
【発明の効果】
【００１７】
本発明では、音声の頭切れを生じることなくパーソナルコンピュータ装置などに記憶されるストリーミングデータを再生することができる。
【発明を実施するための最良の形態】
【００１８】
以下、本発明の実施の形態に係るコンテンツデータ送信装置、コンテンツ再生システムおよびコンテンツデータ送信方法を、図面に基づいて説明する。コンテンツデータ送信装置は、ネットワークメディアプレーヤ装置を例として説明する。コンテンツデータ送信方法は、ネットワークメディアプレーヤ装置の動作として説明する。
【００１９】
図１は、本発明の実施の形態に係るコンテンツ再生システムを示すシステム構成図である。コンテンツ再生システムは、他の装置としてのパーソナルコンピュータ装置（ＰＣ装置）１と、コンテンツデータ送信装置としてのネットワークメディアプレーヤ装置（ＮＭＰ装置）２と、テレビジョン受信機３と、再生装置としてのＡＶアンプ装置４と、複数のスピーカ５と、を有する。
【００２０】
ＰＣ装置１は、ハードディスクドライブ（ＨＤＤ）１１と、通信Ｉ／Ｆ（Ｉｎｔｅｒ  Ｆａｃｅ）１２と、ストリーミング再生部１３と、を有する。
【００２１】
ＨＤＤ１１は、複数のストリーミングデータファイル１６を記憶する。ストリーミングデータファイル１６は、ストリーミングデータを有する。ストリーミングデータには、たとえばＭＰＥＧ（Ｍｏｖｉｎｇ  Ｐｉｃｔｕｒｅ  Ｅｘｐｅｒｔｓ  Ｇｒｏｕｐ）形式のものや、ＤｉｖＸ形式のものなどがある。これらのストリーミングデータでは、映像データと音声データとが、所定の時間で区切られたまとまり毎に順番に格納される。また、音声データは、一般的に、たとえばＭＰ３（ＭＰＥＧ  Ａｕｄｉｏ  Ｌａｙｅｒ−３）、ＡＡＣ（Ａｄｖａｎｃｅｄ  Ａｕｄｉｏ  Ｃｏｄｅｃ）などの所定の圧縮形式にコード化された上で、ストリーミングデータに格納される。なお、これらのストリーミングデータは、たとえば図示外のインターネット上のコンテンツ配信サーバからダウンロードされたり、ＤＶＤ（Ｄｉｇｉｔａｌ  Ｖｅｒｓａｔｉｌｅ  Ｄｉｓｋ）に記録されたものを読み込んだりしたものである。
【００２２】
通信Ｉ／Ｆ１２は、ＬＡＮ（Ｌｏｃａｌ  Ａｒｅａ  Ｎｅｔｗｏｒｋ）６に接続される。ＬＡＮ６は、たとえばＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）８０２．３規格に基づくケーブルとハブとを接続したものがある。通信Ｉ／Ｆ１２には、このケーブルが接続される。また、通信Ｉ／Ｆ１２は、ＭＡＣ（Ｍｅｄｉａ  Ａｃｃｅｓｓ  Ｃｏｎｔｒｏｌ）アドレス、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）アドレスなどのネットワーク上で固有なアドレスを有する。通信Ｉ／Ｆ１２は、送信するデータとともに送信先のアドレスを有するＬＡＮパケットを生成し、ＬＡＮ６へ送信する。また、通信Ｉ／Ｆ１２は、ＬＡＮ６から、自分のアドレスを有するＬＡＮパケットを取得し、その取得したＬＡＮパケットに格納されるデータを受信する。
【００２３】
ストリーミング再生部１３は、ストリーミングデータファイル１６を読み込み、その読み込んだストリーミングデータファイル１６のデータを通信Ｉ／Ｆ１２に送信させる。
【００２４】
ＬＡＮ６には、ＰＣ装置１の他にもＮＭＰ装置２が接続される。図２は、図１中のＮＭＰ装置２の構成を示すブロック図である。ＮＭＰ装置２は、ＬＡＮ６に接続される通信手段としての通信Ｉ／Ｆ２１と、リモコンユニット２２と、リモコンＩ／Ｆ２３と、ＤＳＰチップ２４と、映像信号出力端子２５と、再生装置が接続される出力端子としてのオーディオ光出力端子２６と、を有する。
【００２５】
リモコンユニット２２は、４方向の４つの矢印ボタン２７と、プレイボタン２８とを有する。リモコンユニット２２は、操作されたボタンに応じた信号を無線や赤外線通信によりリモコンＩ／Ｆ２３へ送信する。リモコンＩ／Ｆ２３は、受信した信号に応じた操作データを生成する。
【００２６】
ＤＳＰチップ２４は、図示外のメモリおよび信号処理装置を有し、信号処理装置がメモリに記憶されるコンテンツ中継プログラムを実行することで、表示制御手段としてのリスト生成部３１と、送信制御手段としてのコンテンツ取得部３２と、映像音声分離部３３と、映像デコード手段としての映像デコーダ３４と、音声データ送信手段および事前送信手段の一部としてのＡＶ光送信部３５と、事前送信手段の一部としてのコンテンツ解析部３６と、選択手段または第一の選択手段および第二の選択手段としてのユーザインタフェース部（ＵＩ部）３７と、が実現される。
【００２７】
なお、ＤＳＰチップ２４のメモリに記憶されるコンテンツ中継プログラムは、ＮＭＰ装置２に予め組み込まれてＮＭＰ装置２とともにユーザに提供されても、ＣＤ−Ｒ（ＣＤ−Ｒｅｃｏｒｄａｂｌｅ）などのコンピュータ読取可能な記録媒体に記憶されたり、インターネットなどの伝送媒体を介してユーザに提供されたりしてもよい。
【００２８】
リスト生成部３１は、再生するコンテンツを選択するためのＧＵＩ（Ｇｒａｐｈｉｃａｌ  Ｕｓｅｒ  Ｉｎｔｅｒｆａｃｅ）画面を生成する。図３は、リスト生成部３１が生成するＧＵＩ画面の一例を示す図である。図３のＧＵＩ画面の中央には、６つのコンテンツの選択ボタン画像４１が縦一列に並べて描画される。また、図３のＧＵＩ画面の左右下部には、戻るボタン画像４２と、次へボタン画像４３とが描画される。リスト生成部３１は、生成したＧＵＩ画面を表示するための映像信号を生成し、映像信号出力端子２５へ出力する。
【００２９】
コンテンツ取得部３２は、ストリーミングデータを取得する。
【００３０】
映像音声分離部３３は、コンテンツ取得部３２が取得したストリーミングデータから映像データと音声データとを分離抽出する。
【００３１】
映像デコーダ３４は、映像音声分離部３３が分離抽出した映像データをデコードし、映像信号を生成する。映像デコーダ３４は、生成した映像信号を映像信号出力端子２５へ出力する。
【００３２】
ＡＶ光送信部３５は、音声データが供給されると、供給された音声データを送信するための光通信パケットを生成し、オーディオ光出力端子２６へ出力する。光通信パケットには、たとえばＩＥＥＥ１３９４ＴＡ（Ｔｒａｄｅ  Ａｓｓｏｃｉａｔｉｏｎ）によるＡ＆Ｍ（Ａｕｄｉｏ  ａｎｄ  Ｍｕｓｉｃ  Ｄａｔａ）プロトコルパケットなどがある。Ａ＆Ｍプロトコルパケットは、ヘッダデータに続けて、複数のデータブロックを有する。データブロックには、たとえば音声のチャンネル数分のオーディオデータと、付加データとを有する。付加データには、たとえばチャンネル配置、サンプリング周波数、量子化ビット数などの音声プロパティ情報が格納される。１つのデータブロックには、複数のオーディオデータの、１つのサンプリングタイミングのデータが格納される。
【００３３】
コンテンツ解析部３６は、ストリーミングデータの音声に関する情報を取得し、解析する。そして、コンテンツ解析部３６は、解析により得られた音声データと同じフォーマットの無音の音声データを生成する。
【００３４】
ＵＩ部３７には、リモコンＩ／Ｆ２３が生成した操作データが供給される。ＵＩ部３７は、操作データに応じて、リスト生成部３１、コンテンツ取得部３２、コンテンツ解析部３６などへ各種の指示をする。
【００３５】
ＮＭＰ装置２の映像信号出力端子２５には、図１に示すように、ビデオケーブル７によりテレビジョン受信機３が接続される。テレビジョン受信機３は、図示外の表示部を有する。テレビジョン受信機３は、ビデオケーブル７を介して供給される映像信号に基づいて表示部に映像を表示する。
【００３６】
また、ＮＭＰ装置２のオーディオ光出力端子２６には、図１に示すように、光ケーブル８を介してＡＶアンプ装置４が接続される。図４は、図１中のＡＶアンプ装置４の構成を示すブロック図である。ＡＶアンプ装置４は、光ケーブル８が接続されるオーディオ光入力端子５１と、ＡＶ光受信部５２と、バッファメモリ５３と、信号処理部５４と、水晶発振子５５と、アンプ５６と、スイッチユニット５７と、複数のスピーカ５が１つずつ接続される複数のスピーカ端子５８と、出力制御部５９と、を有する。ＡＶアンプ装置４は、この他にも、アナログ音声信号入力端子６０と、ＡＤＣ（Ａｎａｌｏｇ  ｔｏ  Ｄｉｇｉｔａｌ  Ｃｏｎｖｅｒｔｅｒ）６１などを有する。
【００３７】
ＡＶ光受信部５２は、光ケーブル８から光通信パケットを受信し、取得した光通信パケットに含まれるデータをバッファメモリ５３に保存する。Ａ＆Ｍプロトコルパケットを取得した場合、ＡＶ光受信部５２は、複数のデータブロックのデータなどをバッファメモリ５３に保存する。
【００３８】
信号処理部５４は、水晶発振子５５のクロック信号を基準として各種の信号処理を実行する。信号処理部５４は、後述するようにＡＶ光受信部５２により設定されたサンプリング周波数にて、バッファメモリ５３からデータブロックを読み込み、所定のチャンネル数のビットストリーミングデータを生成する。なお、信号処理部５４は、ビットストリーミングデータの替わりに、リニアＰＣＭ（Ｐｕｌｓｅ  Ｃｏｄｅ  Ｍｏｄｕｌａｔｉｏｎ）データを生成してもよい。
【００３９】
アンプ５６は、信号処理部５４により生成されたチャンネル数のビットストリーミングデータから、そのチャンネル数と同数のアナログの音声信号を生成する。アンプ５６は、生成したアナログの音声信号を、複数のスピーカ端子５８へ供給する。
【００４０】
スイッチユニット５７は、アンプ５６と複数のスピーカ端子５８との間に配設される複数の開閉器を有する。
【００４１】
出力制御部５９は、スイッチユニット５７の複数の開閉器を開閉制御する。出力制御部５９は、たとえばミュートの指示があると、複数の開閉器を開く。ミュート解除の指示があると、出力制御部５９は、複数の開閉器を閉じる。複数の開閉器は、音を出力するときには閉じられる。
【００４２】
次に、以上の構成を有するコンテンツ再生システムの動作を説明する。図５は、ＮＭＰ装置２の動作を示すフローチャートである。図６は、ＡＶアンプ装置４の動作を示すフローチャートである。以下の説明では、ＰＣ装置１に記憶されるストリーミングデータを再生する場合について説明する。
【００４３】
図５に示すように、ＮＭＰ装置２のリスト生成部３１は、コンテンツ情報の取得処理を開始する（ステップＳＴ１）。リスト生成部３１は、具体的にはたとえば、まず、コンテンツのファイル名の送信要求を生成し、ＮＭＰ装置２の通信Ｉ／Ｆ２１へ供給する。ＮＭＰ装置２の通信Ｉ／Ｆ２１は、コンテンツのファイル名の送信要求を有し、かつ、ＰＣ装置１のアドレスを有するＬＡＮパケットを生成し、ＬＡＮ６へ送信する。
【００４４】
ＰＣ装置１の通信Ｉ／Ｆ１２は、ＬＡＮ６から、自分宛てのＬＡＮパケットを取得し、ＬＡＮパケットに含まれるコンテンツのファイル名の送信要求を、ストリーミング再生部１３へ供給する。ストリーミング再生部１３は、ＨＤＤ１１に記憶される複数のストリーミングデータファイル１６のファイル名を読み込み、通信Ｉ／Ｆ１２へ供給する。ＰＣ装置１の通信Ｉ／Ｆ１２は、ストリーミング再生部１３が読み込んだファイル名を有し、かつ、ＮＭＰ装置２のアドレスを有するＬＡＮパケットを生成し、ＬＡＮ６へ送信する。
【００４５】
ＮＭＰ装置２の通信Ｉ／Ｆ２１は、ＬＡＮ６から、自分宛てのＬＡＮパケットを取得し、ＬＡＮパケットに含まれるコンテンツのファイル名を、リスト生成部３１へ供給する。
【００４６】
ＰＣ装置１からコンテンツのファイル名を受信すると、リスト生成部３１は、コンテンツのファイル名をリスト表示するＧＵＩ画面の生成処理を開始する（ステップＳＴ２）。図３は、リスト生成部３１が生成するＧＵＩ画面の一例である。リスト生成部３１は、たとえば図３中央の６つの選択ボタン画像４１に、ファイル名を１つずつ割り付けたＧＵＩ画面を生成する。
【００４７】
ファイル名を選択ボタン画像４１に割り付けたＧＵＩ画面を生成すると、リスト生成部３１は、その複数の選択ボタン画像４１の中の１つを、残りの選択ボタン画像４１とは異なるようにハイライト表示する映像信号を生成し、映像信号出力端子２５へ出力する。映像信号出力端子２５には、ビデオケーブル７を介してテレビジョン受信機３が接続される。テレビジョン受信機３は、映像信号に基づく画像を表示部に表示する。これにより、テレビジョン受信機３の表示部には、図３中の選択ボタン画像４１に、ＰＣ装置１に記憶されるストリーミングデータファイル１６のファイル名が割り付けられたＧＵＩ画面が表示される。
【００４８】
また、リスト生成部３１は、ハイライト表示する選択ボタン画像４１のファイル名をコンテンツ解析部３６へ供給する。コンテンツ解析部３６は、ハイライトコンテンツの音声プロパティ情報を取得する（ステップＳＴ３）。コンテンツ解析部３６は、具体的にはたとえば、まず、供給されたファイル名の音声データの音声プロパティ情報の送信要求を生成し、通信Ｉ／Ｆ２１へ供給する。送信要求は、ＮＭＰ装置２の通信Ｉ／Ｆ２１、ＬＡＮ６およびＰＣ装置１の通信Ｉ／Ｆ１２を介して、ＰＣ装置１のストリーミング再生部１３へ送信される。ストリーミング再生部１３は、ＨＤＤ１１から指定されたファイル名のストリーミングデータを読出し、読み出したデータをコンテンツ解析部３６へ応答送信する。なお、ストリーミング再生部１３が読み出したデータは、ＰＣ装置１の通信Ｉ／Ｆ１２、ＬＡＮ６およびＮＭＰ装置２の通信Ｉ／Ｆ２１を介して、コンテンツ解析部３６へ送信される。
【００４９】
供給されたファイル名のデータを取得すると、コンテンツ解析部３６は、そのデータを用いて、供給されたファイル名のストリーミングデータにおける音声プロパティ情報を解析する（ステップＳＴ４）。コンテンツ解析部３６は、たとえばチャンネル配置、サンプリング周波数、量子化ビット数などの音声プロパティ情報を特定する。
【００５０】
音声プロパティ情報の解析が完了すると、コンテンツ解析部３６は、解析結果をＡＶアンプ装置４へ通知する（ステップＳＴ５）。コンテンツ解析部３６は、具体的にはたとえば、まず、解析した音声プロパティ情報による無音の音声データを生成する。解析した音声データと同じフォーマットの無音の音声データを生成する。コンテンツ解析部３６は、解析したチャンネル配置、サンプリング周波数、量子化ビット数による無音の音声データを生成する。コンテンツ解析部３６は、生成した無音の音声データを、ＡＶ光送信部３５へ供給する。
【００５１】
無音の音声データが供給されると、ＡＶ光送信部３５は、その音声データを光ケーブル８を通じてＡＶアンプ装置４へ送信するための光通信パケットを生成し、オーディオ光出力端子２６へ出力する。無音の音声データの場合、ＡＶ光送信部３５は、たとえば音声のチャンネル数分の無音のオーディオデータ、解析したチャンネル配置、サンプリング周波数、量子化ビット数などを有するＡ＆Ｍプロトコルパケットを生成する。
【００５２】
オーディオ光出力端子２６には、光ケーブル８を介してＡＶアンプ装置４のＡＶ光受信部５２が接続される。無音の音声データに基づく光通信パケットは、ＡＶ光受信部５２に受信される。図６に示すように、ＡＶ光受信部５２は、光通信パケットを受信すると（ステップＳＴ１１）、受信した光通信パケットに含まれるデータをバッファメモリ５３に保存する（ステップＳＴ１２）。
【００５３】
光通信パケットのデータをバッファメモリ５３に保存した後、ＡＶ光受信部５２は、受信パケットを解析する（ステップＳＴ１３）。ＡＶ光受信部５２は、具体的にはたとえば、バッファメモリ５３に保存したデータブロックに含まれる音声プロパティ情報を読み込み、チャンネル配置、サンプリング周波数、量子化ビット数を解析する。
【００５４】
受信パケットの解析が完了すると、ＡＶ光受信部５２は、この新たに解析した音声プロパティ情報に基づく設定が現在のＡＶアンプ装置４の設定と一致しているか否かを判断する（ステップＳＴ１４）。そして、これら２つの設定が一致している場合には、ＡＶ光受信部５２は、設定変更不要と判断する。ＡＶアンプ装置４は、現在の設定のままで、音声の波形信号の生成処理を継続する（ステップＳＴ１５）。
【００５５】
解析した音声プロパティ情報に基づく設定が現在のＡＶアンプ装置４の設定と一致していない場合、ＡＶ光受信部５２は、出力制御部５９にミュートを指示する（ステップＳＴ１６）。出力制御部５９は、スイッチユニット５７の複数の開閉器を開く。これにより、ＡＶアンプ装置４から複数のスピーカ５へ音声の波形信号が供給されなくなる。複数のスピーカ５による音の再生が停止する。
【００５６】
出力制御部５９にミュートを指示した後、ＡＶ光受信部５２は、ＡＶアンプ装置４の設定を変更する（ステップＳＴ１７）。具体的にはたとえば、ＡＶ光受信部５２は、信号処理部５４およびアンプ５６に対して、解析したチャンネル配置に基づく設定をしたり、解析したサンプリング周波数および量子化ビット数を信号処理部５４に設定したりする。また、ＡＶ光受信部５２は、バッファメモリ５３をクリアしてもよい。
【００５７】
ＡＶアンプ装置４の設定を変更した後、ＡＶ光受信部５２は、出力制御部５９にミュート解除を指示する（ステップＳＴ１８）。出力制御部５９は、スイッチユニット５７の複数の開閉器を閉じる。これにより、ＡＶアンプ装置４から複数のスピーカ５への、音声の波形信号の供給が可能となる。
【００５８】
出力制御部５９にミュート解除を指示した後、ＡＶアンプ装置４は、再生処理を開始する（ステップＳＴ１９）。具体的には、ＡＶアンプ装置４の信号処理部５４は、バッファメモリ５３に保存されるデータブロックを順番に読み込み、新たに設定されたサンプリング周波数および量子化ビット数に基づいて、設定されたチャンネル数分のアナログの音声信号を生成する。なお、ＡＶアンプ装置４に接続されるスピーカ５の数が設定されたチャンネル数より少ない場合、信号処理部５４は、必要に応じて音声信号をスピーカ５の数に減らすダウンコンバージョン処理を実行する。
【００５９】
ＮＭＰ装置２のＡＶ光送信部３５は、無音の音声データに基づく光通信パケットをＡＶアンプ装置４のＡＶ光受信部５２へ送信している。したがって、ＡＶアンプ装置４の信号処理部５４は、無音の音声信号を生成する。複数のスピーカ５からは音声が出力されない。
【００６０】
図５のＮＭＰ装置２の動作フローチャートの説明に戻る。ＡＶアンプ装置４へ無音の音声データに基づく光通信パケットを送信することで解析結果を通知した後（ステップＳＴ５）、ＮＭＰ装置２はユーザの操作待ち状態となる（ステップＳＴ６およびＳＴ７）。
【００６１】
リモコンユニット２２は、図２に示すように、４方向の４つの矢印ボタン２７と、プレイボタン２８とを有する。リモコンユニット２２は、ユーザが操作したボタンに応じた信号をリモコンＩ／Ｆ２３へ送信する。リモコンＩ／Ｆ２３は、受信した信号に応じた操作データを生成する。
【００６２】
リモコンユニット２２の矢印ボタン２７が操作されると、ＵＩ部３７は、ＧＵＩ画面においてハイライト表示するボタンをその矢印の方向のボタンに切り替える指示を、リスト生成部３１へ供給する（ステップＳＴ６）。リスト生成部３１は、ハイライト表示するボタン画像を変更したＧＵＩ画面の映像信号を生成する。テレビジョン受信機３に表示されるＧＵＩ画面では、ハイライト表示されるボタン画像が変更される。
【００６３】
また、リスト生成部３１は、ハイライト表示するボタン画像を、リスト中の複数の選択ボタン画像４１の中で切り替えた場合、切替後に新たにハイライト表示する選択ボタン画像４１のファイル名をコンテンツ解析部３６へ供給する。コンテンツ解析部３６は、通信Ｉ／Ｆ２１を用いて、ＰＣ装置１のストリーミング再生部１３から、その新たなハイライトコンテンツの音声プロパティ情報を取得する（ステップＳＴ３）。
【００６４】
コンテンツ解析部３６は、新たに取得した音声プロパティ情報を解析し（ステップＳＴ４）、その解析結果をＡＶアンプ装置４へ通知する（ステップＳＴ５）。ＮＭＰ装置２のＡＶ光送信部３５は、新たな解析結果の音声プロパティ情報を有する光通信パケットを生成し、ＡＶアンプ装置４へ送信する。
【００６５】
ＡＶアンプ装置４のＡＶ光受信部５２は、受信した光通信パケットのデータをバッファメモリ５３に保存するとともに、それを解析する（図６のステップＳＴ１１，ＳＴ１２およびＳＴ１３）。ＡＶ光受信部５２は、この新たに解析した音声プロパティ情報に基づく設定が現在のＡＶアンプ装置４の設定と一致している場合（ステップＳＴ１４）、現在の設定のままで、音声の波形信号の生成処理を継続する（ステップＳＴ１５）。それらの設定が一致しない場合、ＡＶ光受信部５２は、音声出力をミュートした上で（ステップＳＴ１６）、ＡＶアンプ装置４の設定を変更する（ステップＳＴ１７）。ＡＶアンプ装置４は、音声ミュートの解除（ステップＳＴ１８）後に、変更した設定での再生処理を開始する（ステップＳＴ１９）。
【００６６】
以上のように、ＧＵＩ画面においてハイライト表示されるコンテンツが変更されると、それに基づいてＡＶアンプ装置４の設定は、ハイライト表示されるコンテンツの音声データの再生に対応する設定へ変更される。
【００６７】
ＧＵＩ画面中のいずれか１つのコンテンツの選択ボタン画像４１がハイライト表示されている状態において、ユーザがプレイボタン２８を操作すると、ＵＩ部３７は、ＧＵＩ画面においてハイライト表示される表示ボタンのコンテンツの再生指示を、コンテンツ取得部３２へ供給する。
【００６８】
コンテンツ取得部３２は、図５に示すように、ハイライトコンテンツのストリーミングデータの送信開始要求を生成し、ＮＭＰ装置２の通信Ｉ／Ｆ２１へ供給する（ステップＳＴ８）。
【００６９】
このコンテンツの送信開始要求は、ＮＭＰ装置２の通信Ｉ／Ｆ２１、ＬＡＮ６およびＰＣ装置１の通信Ｉ／Ｆ１２を介して、ＰＣ装置１のストリーミング再生部１３へ送信される。ストリーミング再生部１３は、ＨＤＤ１１から指定されたファイル名のストリーミングデータを読出し、ストリーミングデータの送信を開始する。ストリーミング再生部１３が送信するストリーミングデータは、所定のデータ量毎にＰＣ装置１の通信Ｉ／Ｆ１２によりＬＡＮパケットに分割され、ＮＭＰ装置２へ送信される。
【００７０】
コンテンツ取得部３２は、ＮＭＰ装置２の通信Ｉ／Ｆ２１が受信した複数のＬＡＮパケットから、ストリーミングデータを取得する。映像音声分離部３３は、コンテンツ取得部３２が取得したストリーミングデータから映像データと音声データとを分離抽出する（ステップＳＴ９）。
【００７１】
映像デコーダ３４は、映像音声分離部３３が分離抽出した映像データをデコードし、映像信号を生成する。映像信号は、ＮＭＰ装置２の映像信号出力端子２５およびビデオケーブル７を介してテレビジョン受信機３へ送信される。テレビジョン受信機３は、映像信号に基づく画像を表示部に表示する。これにより、テレビジョン受信機３には、ＰＣ装置１に記憶されるストリーミングデータの映像が表示される。
【００７２】
また、ＮＭＰ装置２のＡＶ光送信部３５は、映像音声分離部３３が分離抽出した音声データをＡＶアンプ装置４へ送信する。ＡＶ光送信部３５は、具体的には、複数のチャンネルの音声データにより構成されるデータブロックを複数有する光通信通信パケットを生成し、ＡＶアンプ装置４のＡＶ光受信部５２へ送信する。
【００７３】
ＡＶアンプ装置４のＡＶ光受信部５２は、図６に示すように、受信した光通信パケットに含まれるデータをバッファメモリ５３に保存した上で、解析を行う。ＡＶ光受信部５２は、このストリーミングデータに基づく音声データの光通信パケットを送信する前に、コンテンツ解析部３６からの音声データに基づいて、それと同じ音声プロパティ情報を有する光通信パケットを送信している。
【００７４】
したがって、ＡＶ光受信部５２は、ストリーミングデータに基づく音声データの光通信パケットの解析では、新たに解析した音声プロパティ情報に基づく設定が現在のＡＶアンプ装置４の設定と一致すると判断する。ＡＶ光受信部５２は、設定変更不要と判断する（ステップＳＴ１４）。ＡＶアンプ装置４は、現在の設定のままで、音声の波形信号の生成処理を継続する（ステップＳＴ１５）。また、ＡＶアンプ装置４において、バッファメモリ５３がクリアされてしまうことはない。
【００７５】
ＡＶアンプ装置４の信号処理部５４は、バッファメモリ５３に保存されるデータブロックを順番に読み込み、新たに設定されたサンプリング周波数および量子化ビット数に基づいて、設定されたチャンネル数分のアナログの音声信号を生成する。アンプ５６は、音声信号を増幅し、複数のスピーカ５へ供給する。これにより、複数のスピーカ５からは、ストリーミングデータの音声データに基づく音が出力される。複数のスピーカ５からは、ストリーミングデータの先頭のデータブロックに基づく音から順番に、音が出力される。音声の頭切れは生じない。
【００７６】
以上のように、この実施の形態によれば、コンテンツ再生システムは、インターネットやＤＶＤなどからＰＣ装置１に記録したストリーミングデータを、テレビジョン受信機３および複数のスピーカ５により視聴することができる。ユーザは、テレビジョン受信機３による大画面の画像と、複数のスピーカ５による迫力のある音声とにより、ＰＣ装置１に記録したストリーミングデータを楽しむことができる。
【００７７】
特に、ＮＭＰ装置２は、再生するコンテンツのストリーミングデータに基づく音声データをＡＶアンプ装置４へ送信する前に、そのコンテンツの音声データに関する情報を、音声データと同一のデータブロックのフォーマットにて送信する。ＡＶアンプ装置４は、この事前に送信される音声データに関する情報を通知するデータブロックに基づいて、ストリーミングデータに基づく音声データを受信する前に、自らをそれに合った状態に設定することができる。したがって、ＡＶアンプ装置４は、コンテンツのストリーミングデータに基づく音声データを受信すると、その先頭から頭切れを生じることなく再生することができる。ＮＭＰ装置２は、一般的なＡＶアンプ装置４に対して何の改良を加えることなく、頭切れを防止することができる。
【００７８】
たとえば、ＡＶアンプ装置４がミュート解除のときにバッファメモリをクリアするものであったり、ＡＶアンプ装置４の信号処理部５４に設定できるサンプリング周波数が１つであるため、再生中の音の再生を妨げないようにサンプリング周波数の変更をするためには、バッファメモリ内に未再生のデータが残っていないことを確認してからでなければサンプリング周波数の変更指示ができないようなものであったりしたとしても、ＮＭＰ装置２は、一般的なＡＶアンプ装置４に対して何の改良も加えることなく、頭切れを防止することができる。
【００７９】
また、ＮＭＰ装置２は、複数のコンテンツを選択するＧＵＩ画面をテレビジョン受信機３に表示させ、リモコンユニット２２の矢印ボタン２７の操作に基づいてハイライト表示するコンテンツを切り替える。また、その表示を切り替えると、切り替えた後のコンテンツの音声データに関する情報をＰＣ装置２から取得し、ＡＶアンプ装置４へ通知する。
【００８０】
その後、ＮＭＰ装置２は、ＧＵＩ画面において１つのコンテンツがハイライト表示されている状態でプレイボタン２８が操作されることで、再生するコンテンツを選択し、そのコンテンツのストリーミングデータの音声データをＡＶアンプ装置４へ送信する。
【００８１】
したがって、ＮＭＰ装置２は、ＧＵＩ画面に基づいて操作するユーザに違和感を与えることなく、音声データに関する情報をＡＶアンプ装置４へ通知する時間を確保することができる。すなわち、矢印ボタン２７を操作してから、ハイライトが切り替わり、プレイボタン２８を操作するまでには指を移動する時間が必要になるからである。ＮＭＰ装置２は、略確実にユーザが再生するコンテンツを選択する前に、そのコンテンツの音声データに関する情報をＡＶアンプ装置４へ通知することができる。
【００８２】
しかも、再生するコンテンツの映像データは、ＮＭＰ装置２の映像デコーダ３４によりデコードされて、その画像がテレビジョン受信機３に表示される。また、ＡＶアンプ装置４は、事前に適切な設定がなされているので、コンテンツのストリーミングデータの音声データを受信すると、その先頭から頭切れを生じることなく直ちに再生をする。したがって、ＰＣ装置２に記憶されるコンテンツデータの映像と音声とは、略揃って再生される。微妙なタイミングで言えば、音声が映像よりも微少な時間で遅れて再生される。映像よりも音声が先に再生された場合のように、ユーザに違和感を与えてしまうようなタイムラグを生じさせてしまうことはない。
【００８３】
以上の実施の形態は、本発明の好適な実施の形態の例であるが、本発明は、これに限定されるものではなく、発明の要旨を逸脱しない範囲において種々の変形、変更が可能である。
【００８４】
たとえば上記実施の形態では、ＮＭＰ装置２のＡＶ光送信部３５は、コンテンツ解析部３６からの無音の音声データに基づいて、光通信パケットを１回送信している。この他にもたとえば、ＡＶ光送信部３５は、映像音声分離部３３から音声データが出力されるまでの期間において連続的に同じ光通信パケットを何度も送信するようにしてもよい。また、コンテンツ解析部３６は、無音の音声データの替わりに、所定のメロディなどの音声データを出力するようにしてもよい。
【００８５】
上記実施の形態では、ＮＭＰ装置２のコンテンツ解析部３６は、ハイライトコンテンツの音声データと同じフォーマットの無音の音声データをＡＶ光送信部３５へ供給し、ＡＶ光送信部３５は、その光通信パケットをＡＶアンプ装置４へ送信している。この他にもたとえば、コンテンツ解析部３６は、解析した音声プロパティ情報のみをＡＶ光送信部３５へ供給し、ＡＶ光送信部３５は、光通信コマンドなどによりその音声プロパティ情報のみをＡＶアンプ装置４へ送信するようにしてもよい。
【００８６】
上記実施の形態では、リスト生成部３１は、複数のコンテンツのファイル名を６つずつ表示するＧＵＩ画面を生成している。この他にたとえば、リスト生成部３１は、コンテンツのファイル名を１つずつ表示するＧＵＩ画面を生成するようにしてもよい。この場合、戻るボタン画像４２や次へボタン画像４３がハイライト表示されたタイミングにおいて、コンテンツ解析部３６は、次に表示するコンテンツの音声に関する情報を取得するようにしてもよい。
【００８７】
上記実施の形態では、ストリーミングデータファイル１６は、ＰＣ装置１のＨＤＤ１１に記憶されている。この他にもたとえば、ストリーミングデータファイル１６は、ＰＣ装置１の図示外のディスクドライブ装置に装着された記録媒体などに記憶されていてもよい。また、ＰＣ装置１は、インターネット上の所定のサーバのファイル名リストのみを記憶し、ストリーミングデータの再生要求に基づいて、その所定のサーバからストリーミングデータを受信し、ＮＭＰ装置２へ送信するようにしてもよい。
【００８８】
上記実施の形態では、ＮＭＰ装置２は、コンテンツの音声データの光通信パケットを送信する光ケーブル８を用いて、ＡＶアンプ装置４へ音声プロパティ情報の光通信パケットを送信している。この他にもたとえば、ＮＭＰ装置２とＡＶアンプ装置４とを光ケーブル８以外の別の通信ケーブルで接続し、音声プロパティ情報はこの別の通信ケーブルで送信するようにしてもよい。
【００８９】
上記実施の形態では、ＰＣ装置１に記憶されるストリーミングデータファイル１６は、映像データおよび音声データを有するものである。この他にもたとえば、ＰＣ装置１には、映像データのみを有するストリーミングデータファイルや、音声データのみを有するストリーミングデータファイルなどか記憶されていても良い。この場合、ＮＭＰ装置のリスト生成部３１は、ストリーミングデータファイルのデータ構成毎に、別々のＧＵＩ画面を生成するようにしてもよい。
【００９０】
上記実施の形態では、ＮＭＰ装置２は、ＬＡＮ６によりＰＣ装置１に接続される。この他にもたとえば、ＮＭＰ装置２は、光ケーブルや同軸ケーブルなどにより、ＤＶＤ再生装置などのＡＶ再生機器が接続されてもよい。この場合、ＮＭＰ装置２とＡＶ再生機器とを接続する光ケーブルと、ＮＭＰ装置２とＡＶアンプ装置４とを接続する光ケーブル８とが、単一のネットワークを構成していてもよい。
【００９１】
上記実施の形態では、ＮＭＰ装置２とＡＶアンプ装置４とは、光ケーブル８により接続されている。この他にもたとえば、ＮＭＰ装置２とＡＶアンプ装置４とは、同軸ケーブル、ＵＳＢ（Ｕｎｉｖｅｒｓａｌ  Ｓｅｒｉａｌ  Ｂｕｓ）ケーブルなどで接続されてもよい。
【００９２】
上記実施の形態では、コンテンツ解析部３６は、リスト生成部３１からのファイル名通知に基づいて、ハイライトコンテンツの音声プロパティ情報を取得している。この他にもたとえば、リスト生成部３１は、ファイル名のリストとともに音声プロパティ情報のリストを取得し、このリストに基づいてハイライトコンテンツの音声プロパティ情報をコンテンツ解析部３６へ通知するようにしてもよい。
【００９３】
上記実施の形態では、コンテンツ解析部３６は、ハイライトされているファイル名の音声プロパティ情報を取得している。この他にもたとえば、コンテンツ解析部３６は、ＧＵＩ画面で表示する複数のファイル名の複数の音声プロパティ情報を取得するようにしてもよい。この場合、コンテンツ解析部３６は、リスト生成部３１からのファイル名通知に基づいて、そのファイル名に対応する音声プロパティ情報を選択すればよい。
【００９４】
上記実施の形態では、ＮＭＰ装置２において、ＧＵＩ画面においてハイライト表示されたコンテンツの音声プロパティ情報を特定している。この他にもたとえば、ＮＭＰ装置２は、ＧＵＩ画面で表示する複数のファイル名の複数の音声プロパティ情報をＡＶアンプ装置４へ送信した後に、ハイライトされているファイル名を送信し、ＡＶアンプ装置４は、ハイライトされているファイル名が通知されるときに、そのファイル名のコンテンツの音声プロパティ情報を特定するようにしてもよい。また、ＮＭＰ装置２は、ＧＵＩ画面で表示する複数のファイル名ではなく、ＰＣ装置１が記憶する複数のコンテンツの複数の音声プロパティ情報をメタデータテーブル化して、ＡＶアンプ装置４へ送信するようにしてもよい。
【００９５】
上記実施の形態では、ＡＶアンプ装置４は、再生選択時にＮＭＰ装置２から音声のプロパティ情報が通知されて、各種の設定を実行している。この他にもたとえば、ＡＶアンプ装置４は、たとえば一度再生したことがあるコンテンツの音声のプロパティ情報やファイル名を内部に蓄積し、ＮＭＰ装置２からハイライト表示されるファイル名が通知されたら、その蓄積した再生履歴データの中から音声のプロパティ情報を選択し、各種の設定を実行するようにしてもよい。
【００９６】
上記実施の形態では、ＡＶアンプ装置４は、スイッチユニット５７によりミュート処理を行うようにしたが、信号処理部５４によりミュート処理を行うようにしてもよい。たとえば信号処理部５４の内部に設けた半導体スイッチにより、ミュート処理を行ってもよい。
【産業上の利用可能性】
【００９７】
本発明は、パーソナルコンピュータ装置に記憶されるストリーミングデータを、ＡＶアンプ装置およびテレビジョン受信機で再生する場合などに利用することができる。
【図面の簡単な説明】
【００９８】
【図１】図１は、本発明の実施の形態に係るコンテンツ再生システムを示すシステム構成図である。
【図２】図２は、図１中のＮＭＰ装置の構成を示すブロック図である。
【図３】図３は、図２中のリスト生成部が生成するＧＵＩ画面の一例を示す図である。
【図４】図４は、図１中のＡＶアンプ装置の構成を示すブロック図である。
【図５】図５は、ＮＭＰ装置の動作を示すフローチャートである。
【図６】図６は、ＡＶアンプ装置の動作を示すフローチャートである。
【符号の説明】
【００９９】
１  ＰＣ装置（他の装置）
２  ＮＭＰ装置（コンテンツデータ送信装置）
４  ＡＶアンプ装置（再生装置）
２１  通信Ｉ／Ｆ（通信手段）
２６  オーディオ光出力端子（出力端子）
３１  リスト生成部（表示制御手段）
３２  コンテンツ取得部（送信制御手段）
３４  映像デコーダ（映像デコード手段）
３５  ＡＶ光送信部（音声データ送信手段、事前送信手段の一部）
３６  コンテンツ解析部（事前送信手段の一部）
３７  ＵＩ部（選択手段、第一の選択手段、第二の選択手段）
【図１】
2007158908.tif 000003
【図２】
2007158908.tif 000004
【図３】
2007158908.tif 000005
【図４】
2007158908.tif 000006
【図５】
2007158908.tif 000007
【図６】
2007158908.tif 000008